(57)【特許請求の範囲】
【請求項１】
一以上の放送局から放送される番組のタイトル、番組の放送日時、番組内で放送される放送コンテンツのタイトル及び放送局名を含む放送内容情報を記憶する記憶装置に対して、所定期間に放送される番組の放送内容情報を要求するための要求情報を送信し、当該要求情報に応じて上記記憶装置から送信される、上記所定期間に放送される番組の放送内容情報を受信する通信手段と、
上記通信手段が受信した上記所定期間の放送内容情報に基づいて番組表を生成する番組表生成手段と、
上記番組表生成手段が生成した番組表を所定の表示部に表示させる表示制御手段と、
上記表示部に表示させた番組表から番組のタイトル及び放送局名のうちの少なくともどちらか一方が検索用情報として選択されると、当該検索用情報と検索期間とを検索条件として設定する検索条件設定手段と、
上記検索条件設定手段により上記検索条件が設定されると、上記記憶装置に対して、当該検索条件として設定された検索期間に放送される番組の放送内容情報を要求するための要求情報を送信し、当該要求情報に応じて上記記憶装置から送信される、上記検索期間に放送される番組の放送内容情報を受信するよう通信手段を制御する制御手段と、
上記通信手段が受信した上記検索期間に放送される番組の放送内容情報から上記検索条件として設定された検索用情報に該当する放送内容情報を検索し、検索の結果得られた放送内容情報における上記放送コンテンツ毎の放送頻度を検出する検出手段と
を具えることを特徴とする放送頻度検出装置。
【請求項２】
上記検出手段は、放送頻度の高い順に上記放送コンテンツのランキングを生成する
ことを特徴とする請求項１に記載の放送頻度検出装置。
【請求項３】
上記表示制御手段は、
上記表示部に対して、番組表とともに、選択可能な複数の検索期間を表示させ、
上記検索条件設定手段は、
上記表示部に表示させた番組表から番組のタイトル及び放送局名のうちの少なくともどちらか一方が検索用情報として選択されるとともに、上記表示部に表示させた複数の検索期間のうちの１つが選択されると、当該検索用情報と選択された検索期間とを検索条件として設定する
ことを特徴とする請求項１に記載の放送頻度検出装置。
【請求項４】
一以上の放送局から放送される番組のタイトル、番組の放送日時、番組内で放送される放送コンテンツのタイトル及び放送局名を含む放送内容情報を記憶する記憶装置に対して、所定期間に放送される番組の放送内容情報を要求するための要求情報を送信し、当該要求情報に応じて上記記憶装置から送信される、上記所定期間に放送される番組の放送内容情報を受信する通信手段と、
上記通信手段が受信した上記所定期間の放送内容情報に基づいて番組表を生成する番組表生成手段と、
上記番組表生成手段が生成した番組表を所定の表示部に表示させる表示制御手段と、
上記表示部に表示させた番組表から番組のタイトル及び放送局名のうちの少なくともどちらか一方が検索用情報として選択されると、当該検索用情報と検索期間とを検索条件として設定する検索条件設定手段と、
上記検索条件設定手段により上記検索条件が設定されると、上記記憶装置に対して、当該検索条件を示す検索条件情報とともに、当該検索条件に該当する放送内容情報における上記放送コンテンツ毎の放送頻度を要求するための要求情報を送信し、当該検索条件情報及び当該要求情報に応じて上記記憶装置から送信される、上記放送コンテンツ毎の放送頻度を示す放送頻度情報を受信するよう上記通信手段を制御する制御手段と
を具えることを特徴とする放送頻度受信装置。
【請求項５】
一以上の放送局から放送される番組のタイトル、番組の放送日時、番組内で放送される放送コンテンツのタイトル及び放送局名を含む放送内容情報を記憶する記憶装置に対して、通信手段が、所定期間に放送される番組の放送内容情報を要求するための要求情報を送信し、当該要求情報に応じて上記記憶装置から送信される、上記所定期間に放送される番組の放送内容情報を受信する第１の通信ステップと、
上記第１の通信ステップで受信した上記所定期間の放送内容情報に基づいて、番組表生成手段が番組表を生成する番組表生成ステップと、
上記番組表生成ステップで生成した番組表を表示制御手段が所定の表示部に表示させる表示ステップと、
上記表示部に表示させた番組表から番組のタイトル及び放送局名のうちの少なくともどちらか一方が検索用情報として選択されると、検索条件設定手段が、当該検索用情報と検索期間とを検索条件として設定する検索条件設定ステップと、
上記検索条件設定ステップで上記検索条件が設定されると、上記通信手段が、上記記憶装置に対して、当該検索条件として設定された検索期間に放送される番組の放送内容情報を要求するための要求情報を送信し、当該要求情報に応じて上記記憶装置から送信される、上記検索期間に放送される番組の放送内容情報を受信する第２の通信ステップと、
上記第２の通信ステップで受信した上記検索期間に放送される番組の放送内容情報から、検出手段が、上記検索条件として設定された検索用情報に該当する放送内容情報を検索し、検索の結果得られた放送内容情報における上記放送コンテンツ毎の放送頻度を検出する検出ステップと
を具えることを特徴とする放送頻度検出方法。
【請求項６】
一以上の放送局から放送される番組のタイトル、番組の放送日時、番組内で放送される放送コンテンツのタイトル及び放送局名を含む放送内容情報を記憶する記憶装置に対して、通信手段が、所定期間に放送される番組の放送内容情報を要求するための要求情報を送信し、当該要求情報に応じて上記記憶装置から送信される、上記所定期間に放送される番組の放送内容情報を受信する第１の通信ステップと、
上記第１の通信ステップで受信した上記所定期間の放送内容情報に基づいて番組表生成手段が番組表を生成する番組表生成ステップと、
上記番組表生成ステップで生成した番組表を表示制御手段が所定の表示部に表示させる表示ステップと、
上記表示部に表示させた番組表から番組のタイトル及び放送局名のうちの少なくともどちらか一方が検索用情報として選択されると、検索条件設定手段が、当該検索用情報と検索期間とを検索条件として設定する検索条件設定ステップと、
上記検索条件設定ステップで上記検索条件が設定されると、上記通信手段が、上記記憶装置に対して、当該検索条件を示す検索条件情報とともに、当該検索条件に該当する放送内容情報における上記放送コンテンツ毎の放送頻度を要求するための要求情報を送信し、当該検索条件情報及び当該要求情報に応じて上記記憶装置から送信される、上記放送コンテンツ毎の放送頻度を示す放送頻度情報を受信する第２の通信ステップと
を具えることを特徴とする放送頻度受信方法。
【請求項７】
情報処理装置に対して、
一以上の放送局から放送される番組のタイトル、番組の放送日時、番組内で放送される放送コンテンツのタイトル及び放送局名を含む放送内容情報を記憶する記憶装置に対して、通信手段が、所定期間に放送される番組の放送内容情報を要求するための要求情報を送信し、当該要求情報に応じて上記記憶装置から送信される、上記所定期間に放送される番組の放送内容情報を受信する第１の通信ステップと、
上記第１の通信ステップで受信した上記所定期間の放送内容情報に基づいて、番組表生成手段が番組表を生成する番組表生成ステップと、
上記番組表生成ステップで生成した番組表を表示制御手段が所定の表示部に表示させる表示ステップと、
上記表示部に表示させた番組表から番組のタイトル及び放送局名のうちの少なくともどちらか一方が検索用情報として選択されると、検索条件設定手段が、当該検索用情報と検索期間とを検索条件として設定する検索条件設定ステップと、
上記検索条件設定ステップで上記検索条件が設定されると、上記通信手段が、上記記憶装置に対して、当該検索条件として設定された検索期間に放送される番組の放送内容情報を要求するための要求情報を送信し、当該要求情報に応じて上記記憶装置から送信される、上記検索期間に放送される番組の放送内容情報を受信する第２の通信ステップと、
上記第２の通信ステップで受信した上記検索期間に放送される番組の放送内容情報から、検出手段が、上記検索条件として設定された検索用情報に該当する放送内容情報を検索し、検索の結果得られた放送内容情報における上記放送コンテンツ毎の放送頻度を検出する検出ステップと
を実行させることを特徴とする放送頻度検出プログラム。
【請求項８】
情報処理装置に対して、
一以上の放送局から放送される番組のタイトル、番組の放送日時、番組内で放送される放送コンテンツのタイトル及び放送局名を含む放送内容情報を記憶する記憶装置に対して、通信手段が、所定期間に放送される番組の放送内容情報を要求するための要求情報を送信し、当該要求情報に応じて上記記憶装置から送信される、上記所定期間に放送される番組の放送内容情報を受信する第１の通信ステップと、
上記第１の通信ステップで受信した上記所定期間の放送内容情報に基づいて番組表生成手段が番組表を生成する番組表生成ステップと、
上記番組表生成ステップで生成した番組表を表示制御手段が所定の表示部に表示させる表示ステップと、
上記表示部に表示させた番組表から番組のタイトル及び放送局名のうちの少なくともどちらか一方が検索用情報として選択されると、検索条件設定手段が、当該検索用情報と検索期間とを検索条件として設定する検索条件設定ステップと、
上記検索条件設定ステップで上記検索条件が設定されると、上記通信手段が、上記記憶装置に対して、当該検索条件を示す検索条件情報とともに、当該検索条件に該当する放送内容情報における上記放送コンテンツ毎の放送頻度を要求するための要求情報を送信し、当該検索条件情報及び当該要求情報に応じて上記記憶装置から送信される、上記放送コンテンツ毎の放送頻度を示す放送頻度情報を受信する第２の通信ステップと
を実行させることを特徴とする放送頻度受信プログラム。
【発明の詳細な説明】
【技術分野】
【０００１】
本発明は放送頻度検出装置、放送頻度受信装置、放送頻度検出方法、放送頻度受信方法、放送頻度検出プログラム及び放送頻度受信プログラムに関し、放送コンテンツにおける放送頻度を検出して、当該放送頻度をユーザに呈示する際に適用して好適なものである。
【背景技術】
【０００２】
従来、ユーザ（例えばラジオ放送の聴取者）は、ラジオ放送を聞いていて何度も同じ放送コンテンツ（例えば楽曲）が放送されたことを認識すると、このとき初めて、この楽曲がラジオ放送で頻繁に流れている楽曲であることを知り得る。
【０００３】
そして例えばこの楽曲が再度放送された際に、聴取者がそのときの時刻を携帯端末に記憶させ、この時刻をもとに所定のサーバがデータベースから当該楽曲と当該楽曲を流したラジオ番組に関する情報（以下、これを放送内容情報とも呼ぶ）を検索し、これを当該聴取者に提供する方法が提案されている（例えば特許文献１参照）。
【特許文献１】特開２０００−３３９３４５公報
【発明の開示】
【発明が解決しようとする課題】
【０００４】
ところで、従来聴取者がラジオ放送で頻繁に流れている楽曲を知り得るためには、その楽曲が流れているときのラジオ放送を聞いている必要がある。
【０００５】
従って聴取者が聞いていないラジオ局や時間帯のラジオ放送で頻繁に流れている楽曲については当該聴取者が知り得ないという問題があった。
【０００６】
本発明は以上の点を考慮してなされたもので、ユーザによる放送コンテンツの視聴や聴取に依らず放送コンテンツの放送頻度を当該ユーザに呈示し得る放送頻度検出装置、放送頻度受信装置、放送頻度検出方法、放送頻度受信方法、放送頻度検出プログラム及び放送頻度受信プログラムを提案しようとするものである。
【課題を解決するための手段】
【０００７】
かかる課題を解決するため本発明の放送頻度検出装置においては、一以上の放送局から放送される番組のタイトル、番組の放送日時、番組内で放送される放送コンテンツのタイトル及び放送局名を含む放送内容情報を記憶する記憶装置に対して、所定期間に放送される番組の放送内容情報を要求するための要求情報を送信し、当該要求情報に応じて記憶装置から送信される、所定期間に放送される番組の放送内容情報を受信する通信手段と、通信手段が受信した所定期間の放送内容情報に基づいて番組表を生成する番組表生成手段と、番組表生成手段が生成した番組表を所定の表示部に表示させる表示制御手段と、表示部に表示させた番組表から番組のタイトル及び放送局名のうちの少なくともどちらか一方が検索用情報として選択されると、当該検索用情報と検索期間とを検索条件として設定する検索条件設定手段と、検索条件設定手段により検索条件が設定されると、記憶装置に対して、当該検索条件として設定された検索期間に放送される番組の放送内容情報を要求するための要求情報を送信し、当該要求情報に応じて記憶装置から送信される、検索期間に放送される番組の放送内容情報を受信するよう通信手段を制御する制御手段と、通信手段が受信した検索期間に放送される番組の放送内容情報から検索条件として設定された検索用情報に該当する放送内容情報を検索し、検索の結果得られた放送内容情報における放送コンテンツ毎の放送頻度を検出する検出手段とを設けるようにした。
【０００８】
また本発明の放送頻度受信装置においては、一以上の放送局から放送される番組のタイトル、番組の放送日時、番組内で放送される放送コンテンツのタイトル及び放送局名を含む放送内容情報を記憶する記憶装置に対して、所定期間に放送される番組の放送内容情報を要求するための要求情報を送信し、当該要求情報に応じて記憶装置から送信される、所定期間に放送される番組の放送内容情報を受信する通信手段と、通信手段が受信した所定期間の放送内容情報に基づいて番組表を生成する番組表生成手段と、番組表生成手段が生成した番組表を所定の表示部に表示させる表示制御手段と、表示部に表示させた番組表から番組のタイトル及び放送局名のうちの少なくともどちらか一方が検索用情報として選択されると、当該検索用情報と検索期間とを検索条件として設定する検索条件設定手段と、検索条件設定手段により検索条件が設定されると、記憶装置に対して、当該検索条件を示す検索条件情報とともに、当該検索条件に該当する放送内容情報における放送コンテンツ毎の放送頻度を要求するための要求情報を送信し、当該検索条件情報及び当該要求情報に応じて記憶装置から送信される、放送コンテンツ毎の放送頻度を示す放送頻度情報を受信するよう通信手段を制御する制御手段とを設けるようにした。
【０００９】
さらに本発明の放送頻度検出方法においては、一以上の放送局から放送される番組のタイトル、番組の放送日時、番組内で放送される放送コンテンツのタイトル及び放送局名を含む放送内容情報を記憶する記憶装置に対して、通信手段が、所定期間に放送される番組の放送内容情報を要求するための要求情報を送信し、当該要求情報に応じて記憶装置から送信される、所定期間に放送される番組の放送内容情報を受信する第１の通信ステップと、第１の通信ステップで受信した所定期間の放送内容情報に基づいて、番組表生成手段が番組表を生成する番組表生成ステップと、番組表生成ステップで生成した番組表を表示制御手段が所定の表示部に表示させる表示ステップと、表示部に表示させた番組表から番組のタイトル及び放送局名のうちの少なくともどちらか一方が検索用情報として選択されると、検索条件設定手段が、当該検索用情報と検索期間とを検索条件として設定する検索条件設定ステップと、検索条件設定ステップで検索条件が設定されると、通信手段が、記憶装置に対して、当該検索条件として設定された検索期間に放送される番組の放送内容情報を要求するための要求情報を送信し、当該要求情報に応じて記憶装置から送信される、検索期間に放送される番組の放送内容情報を受信する第２の通信ステップと、第２の通信ステップで受信した検索期間に放送される番組の放送内容情報から、検出手段が、検索条件として設定された検索用情報に該当する放送内容情報を検索し、検索の結果得られた放送内容情報における放送コンテンツ毎の放送頻度を検出する検出ステップとを設けるようにした。
【００１０】
さらに本発明の放送頻度受信方法においては、一以上の放送局から放送される番組のタイトル、番組の放送日時、番組内で放送される放送コンテンツのタイトル及び放送局名を含む放送内容情報を記憶する記憶装置に対して、通信手段が、所定期間に放送される番組の放送内容情報を要求するための要求情報を送信し、当該要求情報に応じて記憶装置から送信される、所定期間に放送される番組の放送内容情報を受信する第１の通信ステップと、第１の通信ステップで受信した所定期間の放送内容情報に基づいて番組表生成手段が番組表を生成する番組表生成ステップと、番組表生成ステップで生成した番組表を表示制御手段が所定の表示部に表示させる表示ステップと、表示部に表示させた番組表から番組のタイトル及び放送局名のうちの少なくともどちらか一方が検索用情報として選択されると、検索条件設定手段が、当該検索用情報と検索期間とを検索条件として設定する検索条件設定ステップと、検索条件設定ステップで検索条件が設定されると、通信手段が、記憶装置に対して、当該検索条件を示す検索条件情報とともに、当該検索条件に該当する放送内容情報における放送コンテンツ毎の放送頻度を要求するための要求情報を送信し、当該検索条件情報及び当該要求情報に応じて記憶装置から送信される、放送コンテンツ毎の放送頻度を示す放送頻度情報を受信する第２の通信ステップとを設けるようにした。
【００１１】
さらに本発明の放送頻度検出プログラムにおいては、情報処理装置に対して、一以上の放送局から放送される番組のタイトル、番組の放送日時、番組内で放送される放送コンテンツのタイトル及び放送局名を含む放送内容情報を記憶する記憶装置に対して、通信手段が、所定期間に放送される番組の放送内容情報を要求するための要求情報を送信し、当該要求情報に応じて記憶装置から送信される、所定期間に放送される番組の放送内容情報を受信する第１の通信ステップと、第１の通信ステップで受信した所定期間の放送内容情報に基づいて、番組表生成手段が番組表を生成する番組表生成ステップと、番組表生成ステップで生成した番組表を表示制御手段が所定の表示部に表示させる表示ステップと、表示部に表示させた番組表から番組のタイトル及び放送局名のうちの少なくともどちらか一方が検索用情報として選択されると、検索条件設定手段が、当該検索用情報と検索期間とを検索条件として設定する検索条件設定ステップと、検索条件設定ステップで検索条件が設定されると、通信手段が、記憶装置に対して、当該検索条件として設定された検索期間に放送される番組の放送内容情報を要求するための要求情報を送信し、当該要求情報に応じて記憶装置から送信される、検索期間に放送される番組の放送内容情報を受信する第２の通信ステップと、第２の通信ステップで受信した検索期間に放送される番組の放送内容情報から、検出手段が、検索条件として設定された検索用情報に該当する放送内容情報を検索し、検索の結果得られた放送内容情報における放送コンテンツ毎の放送頻度を検出する検出ステップとを実行させるようにした。
【００１２】
さらに本発明の放送頻度受信プログラムにおいては、情報処理装置に対して、一以上の放送局から放送される番組のタイトル、番組の放送日時、番組内で放送される放送コンテンツのタイトル及び放送局名を含む放送内容情報を記憶する記憶装置に対して、通信手段が、所定期間に放送される番組の放送内容情報を要求するための要求情報を送信し、当該要求情報に応じて記憶装置から送信される、所定期間に放送される番組の放送内容情報を受信する第１の通信ステップと、第１の通信ステップで受信した所定期間の放送内容情報に基づいて番組表生成手段が番組表を生成する番組表生成ステップと、番組表生成ステップで生成した番組表を表示制御手段が所定の表示部に表示させる表示ステップと、表示部に表示させた番組表から番組のタイトル及び放送局名のうちの少なくともどちらか一方が検索用情報として選択されると、検索条件設定手段が、当該検索用情報と検索期間とを検索条件として設定する検索条件設定ステップと、検索条件設定ステップで検索条件が設定されると、通信手段が、記憶装置に対して、当該検索条件を示す検索条件情報とともに、当該検索条件に該当する放送内容情報における放送コンテンツ毎の放送頻度を要求するための要求情報を送信し、当該検索条件情報及び当該要求情報に応じて記憶装置から送信される、放送コンテンツ毎の放送頻度を示す放送頻度情報を受信する第２の通信ステップとを実行させるようにした。
【００１３】
このように番組のタイトル、番組の放送日時、番組内で放送される放送コンテンツのタイトル及び放送局名を含む放送内容情報に基づいて生成した番組表を表示させ、当該番組表から選択された番組のタイトル、放送局名と検索期間とを検索条件として、当該検索条件に該当する放送内容情報をもとに放送コンテンツ毎の放送頻度を検出することにより、放送コンテンツの映像や音声を出力しなくともユーザが所望する放送局もしくは番組内で放送される各放送コンテンツの放送頻度を所定の表示部に表示してどの放送コンテンツが放送頻度の高いものであるのかをユーザに認識させることができる。
【発明の効果】
【００１４】
本発明によれば、番組のタイトル、番組の放送日時、番組内で放送される放送コンテンツのタイトル及び放送局名を含む放送内容情報に基づいて生成した番組表を表示させ、当該番組表から選択された番組のタイトル、放送局名と検索期間とを検索条件として、当該検索条件に該当する放送内容情報をもとに放送コンテンツ毎の放送頻度を検出することにより、放送コンテンツの映像や音声を出力しなくともユーザが所望する放送局もしくは番組内で放送される各放送コンテンツの放送頻度を所定の表示部に表示してどの放送コンテンツが放送頻度の高いものであるのかをユーザに認識させることができ、かくしてユーザによる放送コンテンツの視聴や聴取に依らず放送コンテンツの放送頻度を当該ユーザに呈示し得る放送頻度検出装置、放送頻度受信装置、放送頻度検出方法、放送頻度受信方法、放送頻度検出プログラム及び放送頻度受信プログラムを実現できる。
【発明を実施するための最良の形態】
【００１５】
以下図面について、本発明の一実施の形態を詳述する。
【００１６】
（１）放送内容情報提供システムの構成
図１において、１は全体として放送内容情報提供システムを示し、一以上のラジオ局ＲＳ（ＲＳ１〜ＲＳｎ）からそれぞれ送信されるラジオ放送波をクライアント端末２が受信するようになされている。
【００１７】
またラジオ局ＲＳ（ＲＳ１〜ＲＳｎ）には、それぞれ自局の放送内容情報（内容については後述する）をインターネット等のネットワークＮＴを介してクライアント端末２に提供するための放送内容情報提供サーバＰＳ（ＰＳ１〜ＰＳｎ）が専用線で接続されており、当該放送内容情報提供サーバＰＳ（ＰＳ１〜ＰＳｎ）に対して、現在の放送状況（ラジオ番組の開始や終了、ラジオ番組内で流される楽曲の開始や終了等）を通知するようになされている。
【００１８】
そして放送内容情報提供サーバＰＳ（ＰＳ１〜ＰＳｎ）は、ネットワークＮＴを介してクライアント端末２から放送内容情報の取得要求を受け付けると、この取得要求に応じて当該放送内容情報をネットワークＮＴを介してクライアント端末２に送信するようになされている。
【００１９】
（２）放送内容情報提供サーバの回路構成
次に放送内容情報提供サーバＰＳ（ＰＳ１〜ＰＳｎ）の回路構成について説明する。
【００２０】
なお、本実施の形態における放送内容情報提供サーバＰＳ１〜ＰＳｎの回路構成は全て同一であるため、ここでは一例として放送内容情報提供サーバＰＳ１の回路構成のみを説明することにし、放送内容情報提供サーバＰＳ２〜ＰＳｎの説明については省略する。
【００２１】
図２に示すように放送内容情報提供サーバＰＳ１は、ＣＰＵ（Ｃｅｎｔｒａｌ  Ｐｒｏｃｅｓｓｉｎｇ  Ｕｎｉｔ）構成でなる制御部１０が、ＲＯＭ（Ｒｅａｄ  Ｏｎｌｙ  Ｍｅｍｏｒｙ）１１に予め格納されている基本プログラムやアプリケーションプログラム等の各種プログラムをバス１２を介してＲＡＭ（Ｒａｎｄｏｍ  Ａｃｃｅｓｓ  Ｍｅｍｏｒｙ）１３に読み出し、これら各種プログラムに従って全体を制御すると共に、所定の演算処理等を実行するようになされている。
【００２２】
この放送内容情報提供サーバＰＳ１は、専用線で接続されたラジオ局ＲＳ１によって管理運営され、当該ラジオ局ＲＳ１で放送するラジオ放送に関する放送内容情報を放送内容情報データベース１４で管理するようになされている。
【００２３】
ここでこの放送内容情報データベース１４の構成を図３に示す。
【００２４】
この放送内容情報データベース１４は、放送内容情報を管理するための複数のテーブル（放送中番組テーブルＴＢ１、放送済楽曲テーブルＴＢ２及び放送済番組テーブルＴＢ３）で構成されている。
【００２５】
放送中番組テーブルＴＢ１には、放送内容情報提供サーバＰＳ１に接続されたラジオ局ＲＳ１の局名、当該ラジオ局ＲＳ１で今現在放送中のラジオ番組のタイトル、当該ラジオ番組内で今現在放送中の楽曲のタイトル、当該楽曲のアーティスト、当該楽曲のジャンルからなる放送内容情報が格納されている。
【００２６】
すなわち放送中番組テーブルＴＢ１には、今現在放送中のラジオ番組及び楽曲に関する放送内容情報のみが格納されるようになされている。
【００２７】
また放送済楽曲テーブルＴＢ２には、ラジオ局ＲＳ１の局名、当該ラジオ局ＲＳ１のラジオ番組内で楽曲が放送された時刻（日付及び開始時刻）、当該楽曲のタイトル、当該楽曲のアーティスト、当該楽曲のジャンルからなる放送内容情報が蓄積されている。
【００２８】
すなわち放送済楽曲テーブルＴＢ２には、ラジオ番組内で放送された楽曲に関する放送内容情報が蓄積されるようになされている。
【００２９】
そして放送済番組テーブルＴＢ３には、ラジオ局ＲＳ１の局名、当該ラジオ局ＲＳ１で放送されたラジオ番組の放送時間（日付、開始時刻及び終了時刻）、当該ラジオ番組のタイトル、当該ラジオ番組の出演者（ＤＪ（Ｄｉｓｋ  Ｊｏｃｋｅｙ））名からなる放送内容情報が蓄積されている。
【００３０】
すなわち放送済番組テーブルＴＢ３には、放送されたラジオ番組に関する放送内容情報が蓄積されるようになされている。
【００３１】
実際上、放送内容情報提供サーバＰＳ１の制御部１０（図２）は、ラジオ局ＲＳ１から専用線インタフェース１５、通信処理部１６を順次介して現在の放送状況（ラジオ番組の開始や終了、ラジオ番組内で流される楽曲の開始や終了等）が通知されると、図４に示すように、その放送状況をもとに放送内容情報データベース１４内の放送中番組テーブルＴＢ１を更新する。
【００３２】
すなわち、ラジオ番組が終了して次のラジオ番組に切り替わったときや、ラジオ番組内で放送されている楽曲が次の楽曲に切り替わったとき等のタイミングで、放送中番組テーブルＴＢ１に格納されている放送内容情報を最新の放送内容情報に更新する。
【００３３】
従って放送中番組テーブルＴＢ１には、今現在の放送状況に合わせたほぼリアルタイムな放送内容情報が格納される。
【００３４】
そして制御部１０は、クライアント端末２からの取得要求に応じて、この放送中番組テーブルＴＢ１に格納されているリアルタイムな放送内容情報（以下、これをナウオンエア情報と呼ぶ）を通信処理部１６、ネットワークインタフェース１７を順次介してクライアント端末２に送信する。
【００３５】
また制御部１０は、ラジオ番組内で流される楽曲の放送終了後、所定時間（例えば数分）経過後、図５に示すように放送済楽曲テーブルＴＢ２に当該楽曲に関する放送内容情報を追加する。
【００３６】
さらに制御部１０は、ラジオ番組の放送終了後、所定時間（例えば数分）経過後、図６に示すように放送済番組テーブルＴＢ３に当該ラジオ番組に関する放送内容情報を追加する。
【００３７】
さらに制御部１０は、放送済楽曲テーブルＴＢ２における放送時刻と、放送済番組テーブルＴＢ３の放送時間とを対応付けることにより、図７に示すように、ラジオ番組及び当該ラジオ番組内で放送された楽曲に関する放送内容情報（以下、これをオンエア情報と呼ぶ）を生成するようにもなされている。
【００３８】
このようにオンエア情報は、各ラジオ番組及び当該各ラジオ番組内で放送された楽曲に関する放送内容情報となるので、当該オンエア情報を蓄積することにより、この蓄積されたオンエア情報がどのラジオ番組でどの楽曲が放送されたのかを示すリスト情報となる。
【００３９】
そして制御部１０は、クライアント端末２からの取得要求に応じて、このオンエア情報を通信処理部１６、ネットワークインタフェース１７を順次介してクライアント端末２に送信する。
【００４０】
このように放送内容情報提供サーバＰＳ１は、ラジオ局ＲＳ１で放送するラジオ放送に関する放送内容情報を記憶管理していると共に、当該放送内容情報をもとに、今現在放送中のラジオ放送に関するナウオンエア情報や、放送済のラジオ放送に関するオンエア情報を生成し、これらを当該クライアント端末２に提供するようになされている。
【００４１】
また同様に、放送内容情報提供サーバＰＳ２〜ＰＳｎにおいても、それぞれ対応するラジオ局ＲＳ２〜ＲＳｎで放送するラジオ放送の放送内容情報を記憶管理すると共に、ナウオンエア情報やオンエア情報をクライアント端末２に提供するようになされている。
【００４２】
（３）クライアント端末の回路構成
次にクライアント端末２の回路構成について説明する。
【００４３】
図８に示すようにクライアント端末２は、その筐体表面やリモートコントローラ（図示せず）に設けられた各種操作ボタンでなる操作入力部２０がユーザによって操作されると、当該操作入力部２０でこれを認識し、当該操作に応じた操作入力信号を入力処理部２１へ送出する。
【００４４】
入力処理部２１は、供給される操作入力信号に対して所定の入力処理を施すことにより、当該操作入力信号を操作コマンドに変換し、これをバス２２を介してＣＰＵ２３に供給する。
【００４５】
ＣＰＵ２３は、ＲＯＭ２４に予め格納されている基本プログラムやアプリケーションプログラム等の各種プログラムをバス２２を介してＲＡＭ２５に読み出し、これら各種プログラムに従って全体を制御すると共に、所定の演算処理や、入力処理部２１から供給される操作コマンドに応じた各種処理を実行するようになされている。
【００４６】
ディスプレイ２６は、例えば液晶ディスプレイ等の表示デバイスでなり、筐体表面に直接取り付けられている場合や外付けされている場合があり、ＣＰＵ２３による処理結果や各種映像データが表示処理部２７を介して映像信号として供給されると、当該映像信号に基づく映像を表示するようになされている。
【００４７】
メディアドライブ２８は、例えばＣＤ（Ｃｏｍｐａｃｔ  Ｄｉｓｃ）に記録されたコンテンツデータや、フラッシュメモリ等でなるメモリースティック（登録商標）に記録されたコンテンツデータを読み出して再生するドライブであって、当該コンテンツデータが映像データであれば、これをバス２２を介して表示処理部２７に送出し、音声データであれば音声処理部２９に送出する。
【００４８】
表示処理部２７は、バス２２を介して供給される映像データに対してディジタルアナログ変換処理を施し、その結果得られる映像信号をディスプレイ２６に供給することにより、当該ディスプレイ２６に当該映像信号に基づく映像を表示させる。
【００４９】
また音声処理部２９は、バス２２を介して供給される音声データに対してディジタルアナログ変換処理を施し、その結果得られる音声信号を２チャンネルのスピーカ３０に送出することにより、当該スピーカ３０から当該音声信号に基づくステレオ音声を出力させる。
【００５０】
さらにＣＰＵ２３は、メディアドライブ２８で読み出したコンテンツデータをバス２２を介してハードディスクドライブ３１に送出することにより、当該コンテンツデータをコンテンツファイルとして当該ハードディスクドライブ３１に記憶し得るようにもなされている。
【００５１】
因みにハードディスクドライブ３１に記憶したコンテンツファイルも、当該ハードディスクドライブ３１からコンテンツデータとして読み出し、ディスプレイ２６やスピーカ３０から出力することができるようになされている。
【００５２】
アンテナ３２は、ラジオ局ＲＳ（ＲＳ１〜ＲＳｎ）から送信されてくるラジオ放送波を受信し、これをＡＭ／ＦＭチューナでなるチューナ３３に送出する。
【００５３】
チューナ３３は、ＣＰＵ２３の制御のもとアンテナ３２を介して受信したラジオ放送波の中から、例えば操作入力部２０を介して指定されたラジオ局ＲＳ１に対応する周波数のラジオ放送信号を抽出して復調し、その結果得られる音声信号をバス２２、音声処理部２９を順次介してスピーカ３０から出力する。
【００５４】
これによりラジオ局ＲＳ１で放送されている番組の番組音声をユーザに聴取させることができる。
【００５５】
またＣＰＵ２３は、通信処理部３４、ネットワークインタフェース３５を順次介してネットワークＮＴに接続し、当該ネットワークＮＴ上の放送内容情報提供サーバＰＳ（ＰＳ１〜ＰＳｎ）にアクセスし得るようにもなされている。
【００５６】
そしてＣＰＵ２３は、必要に応じて、この放送内容情報提供サーバＰＳ（ＰＳ１〜ＰＳｎ）に対して上述したナウオンエア情報やオンエア情報の取得を要求するための要求情報を送信すると共に、当該要求情報に応じて当該放送内容情報提供サーバＰＳ（ＰＳ１〜ＰＳｎ）から送信されるナウオンエア情報やオンエア情報を受信して、これらをハードディスクドライブ３１に記録し得るようになされている。
【００５７】
さらにこのクライアント端末２においては、ネットワークＮＴ上の図示しない総合サービスサーバにアクセスし得るようにもなされており、当該総合サービスサーバに対して当該クライアント端末２が使用される地域を示す地域情報を送信することにより、当該総合サービスサーバから、当該地域で受信可能なラジオ放送の周波数、当該ラジオ放送を放送しているラジオ局ＲＳ（ＲＳ１〜ＲＳｎ）の局名、当該ラジオ局ＲＳ（ＲＳ１〜ＲＳｎ）で管理される放送内容情報提供サーバＰＳ（ＰＳ１〜ＰＳｎ）のアドレス等を取得し得るようになされている。
【００５８】
そしてクライアント端末２は、このようにして取得した受信可能なラジオ局ＲＳ（ＲＳ１〜ＲＳｎ）の中から、所望のラジオ局ＲＳ（ＲＳ１〜ＲＳｎ）をユーザにいくつか選択させ、この選択されたラジオ局ＲＳ（ＲＳ１〜ＲＳｎ）の局名、周波数及び当該選択されたラジオ局ＲＳ（ＲＳ１〜ＲＳｎ）で管理運営される放送内容情報提供サーバＰＳ（ＰＳ１〜ＰＳｎ）のアドレスを対応付けた情報（以下、これをプリセット情報と呼ぶ）をハードディスクドライブ３１に記録するようになされている。
【００５９】
これによりクライアント端末２のＣＰＵ２３は、ユーザにこのプリセット情報の中から例えばラジオ局ＲＳ１の局名を指定させるだけで、指定されたラジオ局ＲＳ１の周波数にチューナ３３を合わせたり、ラジオ局ＲＳ１が管理運営する放送内容情報提供サーバＰＳ１にアクセスしたりするようになされている。
【００６０】
（４）放送頻度呈示機能
本実施の形態におけるクライアント端末２においては、ラジオ放送における楽曲の放送頻度を検出し、これをユーザに呈示する放送頻度呈示機能を有している。
【００６１】
実際上このクライアント端末２において、この楽曲の放送頻度を検出する手法としては、大きく分けて放送内容情報提供サーバＰＳ（ＰＳ１〜ＰＳｎ）で蓄積管理されているオンエア情報から検出する手法と、記録管理されているナウオンエア情報から検出する手法とがある。
【００６２】
そして、さらにこのうちのオンエア情報から検出する手法においては、放送内容情報提供サーバＰＳ（ＰＳ１〜ＰＳｎ）からオンエア情報を受信して検出する場合と、放送内容情報提供サーバＰＳ（ＰＳ１〜ＰＳｎ）側でオンエア情報から楽曲の放送頻度を検出させ、これを受信する場合とがある。
【００６３】
以下、放送頻度呈示機能における各手法及び各場合に応じた放送頻度呈示処理について説明する。
【００６４】
（４−１）クライアント端末２が放送内容情報提供サーバＰＳ（ＰＳ１〜ＰＳｎ）からオンエア情報を受信して楽曲の放送頻度を検出する場合の第１の放送頻度呈示処理
図９に示すように、この第１の放送頻度呈示処理は、クライアント端末２と放送内容情報提供サーバＰＳ（ＰＳ１〜ＰＳｎ）との処理シーケンスでなり、以下、この処理シーケンスについて説明する。
【００６５】
クライアント端末２は、例えば初めて電源が投入されるとステップＳＰ１において、プリセット情報として記録している放送内容情報提供サーバＰＳ（ＰＳ１〜ＰＳｎ）のアドレスのそれぞれに対して過去１週間分（月曜日〜日曜日）のオンエア情報を要求する。
【００６６】
クライアント端末２から過去１週間分のオンエア情報を要求された各放送内容情報提供サーバＰＳ（ＰＳ１〜ＰＳｎ）は、ステップＳＰ２において、それぞれが過去１週間分のオンエア情報を放送内容情報データベース１４から検索し、検索結果として得られた過去１週間分のオンエア情報をクライアント端末２に送信する。
【００６７】
クライアント端末２は、各放送内容情報提供サーバＰＳ（ＰＳ１〜ＰＳｎ）から送信された過去１週間分のオンエア情報を受信すると、ステップＳＰ３において、この過去１週間分のオンエア情報をもとにプリセットされた各ラジオ局ＲＳ（ＲＳ１〜ＲＳｎ）の番組表を生成し、これを図１０に示すように番組表画面４０としてディスプレイ２６に表示する。
【００６８】
この番組表画面４０は、楽曲の放送頻度を検出する際の条件（以下、これを検出条件と呼ぶ）を指定するためのものであり、検出条件としてラジオ番組のタイトル及び検出期間を指定し得るようになされている。
【００６９】
すなわちこの番組表画面４０には、プリセットされた一以上のラジオ局ＲＳ（ＲＳ１〜ＲＳｎ）で過去１週間に放送されたラジオ番組のタイトルが、その放送日、放送開始時刻及び終了時刻と対応付けて表示されるようになされており、また各タイトルの表示位置の左横には、それぞれチェックボックスＣＢが設けられている。
【００７０】
これによりユーザは、操作入力部２０で操作可能な図示しないカーソルで所望の番組タイトルのチェックボックスＣＢを選択して、検出条件となるラジオ番組のタイトルを指定することができる。
【００７１】
またこの番組表画面４０には、検出期間を指定するための選択ボックスＰＢが設けられており、この選択ボックスＰＢには、例えば検出期間として「１日」、「１週間」、「１ヶ月間」が表示されるようになされている。
【００７２】
これによりユーザは、この選択ボックスＰＢに表示された検出期間「１日」、「１週間」、「１ヶ月間」の中から所望の検出期間を選択して、検出条件となる検出期間を指定することができる。
【００７３】
このようにクライアント端末２においては、この番組表画面４０上で検出条件としての検出期間及びラジオ番組のタイトルを指定し得、これにより例えばユーザの好みに全く合わないようなラジオ番組で流れる楽曲の放送頻度についてはその検出処理を省略することもできる。
【００７４】
そしてクライアント端末２は、検出条件が指定された状態で、番組表画面４０上の登録ボタンＲＢが押下されたことを認識すると、指定された検出条件を検出条件情報としてハードディスクドライブ３１に記録し、次のステップＳＰ４に移る。
【００７５】
ステップＳＰ４においてクライアント端末２は、自身に内蔵されたクロック回路（図示せず）をもとに、日付が変わるまで待ち受け、日付が変わったことを認識すると、次のステップＳＰ５に移る。
【００７６】
クライアント端末２は、ステップＳＰ５において、プリセット情報として記録している放送内容情報提供サーバＰＳ（ＰＳ１〜ＰＳｎ）のアドレスのそれぞれに対して前日分のオンエア情報を要求する。
【００７７】
クライアント端末２から前日分のオンエア情報を要求された各放送内容情報提供サーバＰＳ（ＰＳ１〜ＰＳｎ）は、ステップＳＰ６において、それぞれが前日分のオンエア情報を放送内容情報データベース１４から検索し、検索結果として得られた前日分のオンエア情報をクライアント端末２に送信する。
【００７８】
クライアント端末２は、各放送内容情報提供サーバＰＳ（ＰＳ１〜ＰＳｎ）からそれぞれ送信された前日分のオンエア情報を受信すると、ステップＳＰ７において、これをハードディスクドライブ３１にあらかじめ構築してあるオンエア情報データベースに蓄積し、次のステップＳＰ８に移る。
【００７９】
この結果、このオンエア情報データベースには、各ラジオ局ＲＳ（ＲＳ１〜ＲＳｎ）のオンエア情報が蓄積される。
【００８０】
ステップＳＰ８においてクライアント端末２は、ステップＳＰ４で日付が変わったことを最初に認識してから検出期間（例えば「１週間」）経過したか否かを判断する。
【００８１】
ここで否定結果を得ると、クライアント端末２はステップＳＰ４に戻り、再び日付が変わるまで待ち受け、日付が変わったことを認識すると各放送内容情報提供サーバＰＳ（ＰＳ１〜ＰＳｎ）に前日分のオンエア情報を要求する。
【００８２】
このようにクライアント端末２は、このステップＳＰ８で肯定結果が得られるまで、すなわち取得期間「１週間」経過するまで１日毎に前日分のオンエア情報を受信してオンエア情報データベースに蓄積することにより、検出期間「１週間」分のオンエア情報をオンエア情報データベースに蓄積し得るようになされている。
【００８３】
そしてこのステップＳＰ８で肯定結果を得ると、クライアント端末２は、オンエア情報の受信を止め、ステップＳＰ９に移る。
【００８４】
ステップＳＰ９においてクライアント端末２は、検出条件情報として記録したラジオ番組のタイトルに該当するオンエア情報をオンエア情報データベースから検索し、次のステップＳＰ１０に移る。
【００８５】
ステップＳＰ１０においてクライアント端末２は、ステップＳＰ９で検索結果として得られたオンエア情報を楽曲タイトル毎にまとめて、そのまとめた数（すなわち楽曲タイトル毎の放送頻度を示す放送回数）を当該楽曲タイトル毎に集計する。
【００８６】
そしてクライアント端末２は、得られたオンエア情報をもとに楽曲タイトル、当該楽曲のアーティスト名、当該楽曲の放送回数をそれぞれ対応付けた情報（以下、これを放送頻度情報と呼ぶ）を生成し、次のステップＳＰ１１に移る。
【００８７】
ステップＳＰ１１においてクライアント端末２は、操作入力部２０を介して放送頻度の呈示が要求されると、図１１に示すように、放送頻度情報を呈示するための放送頻度呈示画面５０をディスプレイ２６に表示する。
【００８８】
この放送頻度呈示画面５０には、放送回数の多かった上位１０楽曲の放送頻度情報が当該放送回数の多い順に並べて表示されるようになされており、これによりユーザに対してどのアーティストのどの楽曲が最近頻繁に放送されている楽曲であるのかを認識させることができる。
【００８９】
そしてこのステップＳＰ１１以降においても、再度ユーザに検出条件を指定させ、その都度、当該検出条件をもとに楽曲の放送頻度を検出して呈示するようにしてもよい。
【００９０】
このようにクライアント端末２は、この第１の放送頻度呈示処理において、放送内容情報提供サーバＰＳ（ＰＳ１〜ＰＳｎ）からオンエア情報を受信し、当該オンエア情報をもとに各楽曲の放送回数を検出して放送頻度情報を生成し、これをディスプレイ２６に表示することにより、どの楽曲が放送頻度の高いものであるのかをユーザに認識させることができる。
【００９１】
（４−２）放送内容情報提供サーバＰＳ（ＰＳ１〜ＰＳｎ）側でオンエア情報から楽曲の放送頻度を検出させ、これをクライアント端末２が受信する場合の第２の放送頻度呈示処理
図１２に示すように、この第２の放送頻度呈示処理は、クライアント端末２と放送内容情報提供サーバＰＳ（ＰＳ１〜ＰＳｎ）との処理シーケンスでなり、以下、この処理シーケンスについて説明する。
【００９２】
クライアント端末２は、例えば初めて電源が投入されるとステップＳＰ２０において、プリセット情報として記録している放送内容情報提供サーバＰＳ（ＰＳ１〜ＰＳｎ）のアドレスのそれぞれに対して過去１週間分（月曜日〜日曜日）のオンエア情報を要求する。
【００９３】
クライアント端末２から過去１週間分のオンエア情報を要求された各放送内容情報提供サーバＰＳ（ＰＳ１〜ＰＳｎ）は、ステップＳＰ２１において、それぞれが過去１週間分のオンエア情報を放送内容情報データベース１４から検索し、検索結果として得られた過去１週間分のオンエア情報をクライアント端末２に送信する。
【００９４】
クライアント端末２は、各放送内容情報提供サーバＰＳ（ＰＳ１〜ＰＳｎ）から送信された過去１週間分のオンエア情報を受信すると、ステップＳＰ２２において、この過去１週間分のオンエア情報をもとにプリセットされた各ラジオ局ＲＳ（ＲＳ１〜ＲＳｎ）の番組表を生成し、これを番組表画面４０（図１０）としてディスプレイ２６に表示する。
【００９５】
クライアント端末２は、第１の放送頻度呈示処理の場合と同様に、この番組表画面４０上で検出条件としての検出期間（例えば「１週間」）及びラジオ番組のタイトルが指定されると、これを検出条件情報としてハードディスクドライブ３１に記録し、次のステップＳＰ２３に移る。
【００９６】
ステップＳＰ２３においてクライアント端末２は、この検出条件情報をプリセット情報として記録している放送内容情報提供サーバＰＳ（ＰＳ１〜ＰＳｎ）のアドレスのそれぞれに対して送信すると共に、放送頻度情報を要求する。
【００９７】
クライアント端末２から送信された検出条件情報を受信すると共に、放送頻度情報を要求された各放送内容情報提供サーバＰＳ（ＰＳ１〜ＰＳｎ）は、ステップＳＰ２４において、それぞれが自身に内蔵されたクロック回路（図示せず）をもとに、検出条件情報の検出期間「１週間」経過するまで待ち受け、検出期間「１週間」経過したことを認識すると、次のステップＳＰ２５に移る。
【００９８】
この場合、各放送内容情報提供サーバＰＳ（ＰＳ１〜ＰＳｎ）は、例えば検出条件情報を受信した日の翌日から１週間経過するまで待ち受ける。
【００９９】
ステップＳＰ２５において各放送内容情報提供サーバＰＳ（ＰＳ１〜ＰＳｎ）は、検出条件情報として指定された検出期間「１週間」及びラジオ番組のタイトルをもとに、過去１週間に放送された指定ラジオ番組のタイトルに該当するオンエア情報を放送内容情報データベース１４から検索し、次のステップＳＰ２６に移る。
【０１００】
ステップＳＰ２６において各放送内容情報提供サーバＰＳ（ＰＳ１〜ＰＳｎ）は、ステップＳＰ２５で検索結果として得られたオンエア情報を楽曲タイトル毎にまとめて、そのまとめた数（放送回数）を当該楽曲タイトル毎に集計する。
【０１０１】
そして各放送内容情報提供サーバＰＳ（ＰＳ１〜ＰＳｎ）は、得られたオンエア情報をもとに楽曲タイトル、当該楽曲のアーティスト名、当該楽曲の放送回数をそれぞれ対応付けた放送頻度情報を生成し、次のステップＳＰ２７に移る。
【０１０２】
ステップＳＰ２７において各放送内容情報提供サーバＰＳ（ＰＳ１〜ＰＳｎ）は、それぞれ生成した放送頻度情報をクライアント端末２に送信する。
【０１０３】
クライアント端末２は、各放送内容情報提供サーバＰＳ（ＰＳ１〜ＰＳｎ）からそれぞれ送信された放送頻度情報を受信した後、ステップＳＰ２８において、操作入力部２０を介して放送頻度の呈示が要求されると、第１の放送頻度呈示処理の場合と同様に、放送頻度呈示画面５０（図１１）をディスプレイ２６に表示する。
【０１０４】
なお、このとき各放送内容情報提供サーバＰＳ（ＰＳ１〜ＰＳｎ）からそれぞれ送信された放送頻度情報において、同じ楽曲タイトルのものが複数存在する場合には、その放送回数を合算しておく。
【０１０５】
このようにクライアント端末２は、この第２の放送頻度呈示処理において、放送内容情報提供サーバＰＳ（ＰＳ１〜ＰＳｎ）側でオンエア情報をもとに各楽曲の放送回数を検出させて放送頻度情報を生成させ、これを受信してディスプレイ２６に表示することにより、どの楽曲が放送頻度の高いものであるのかをユーザに認識させることができる。
【０１０６】
（４−３）クライアント端末２がナウオンエア情報から楽曲の放送頻度を検出する場合の第３の放送頻度呈示処理
図１３に示すように、この第３の放送頻度呈示処理は、クライアント端末２と放送内容情報提供サーバＰＳ（ＰＳ１〜ＰＳｎ）との処理シーケンスでなり、以下、この処理シーケンスについて説明する。
【０１０７】
なお、クライアント端末２は、常に最新のナウオンエア情報を取得するために、所定の間隔（以下、これをポーリング間隔と呼び、例えば３０秒に設定されている）毎に各放送内容情報提供サーバＰＳ（ＰＳ１〜ＰＳｎ）に対してナウオンエア情報の取得要求を行うようになされている。
【０１０８】
クライアント端末２は、例えば初めて電源が投入されるとステップＳＰ４０において、プリセット情報として記録している放送内容情報提供サーバＰＳ（ＰＳ１〜ＰＳｎ）のアドレスのそれぞれに対して過去１週間分（月曜日〜日曜日）のオンエア情報を要求する。
【０１０９】
クライアント端末２から過去１週間分のオンエア情報を要求された各放送内容情報提供サーバＰＳ（ＰＳ１〜ＰＳｎ）は、ステップＳＰ４１において、それぞれが過去１週間分のオンエア情報を放送内容情報データベース１４から検索し、検索結果として得られた過去１週間分のオンエア情報をクライアント端末２に送信する。
【０１１０】
クライアント端末２は、各放送内容情報提供サーバＰＳ（ＰＳ１〜ＰＳｎ）から送信された過去１週間分のオンエア情報を受信すると、ステップＳＰ４２において、この過去１週間分のオンエア情報をもとにプリセットされた各ラジオ局ＲＳ（ＲＳ１〜ＲＳｎ）の番組表を生成し、これを番組表画面４０（図１０）としてディスプレイ２６に表示する。
【０１１１】
クライアント端末２は、第１及び第２の放送頻度呈示処理の場合と同様に、この番組表画面４０上で検出条件としての検出期間（例えば「１週間」）及びラジオ番組のタイトルが指定されると、これを検出条件情報としてハードディスクドライブ３１に記録し、次のステップＳＰ４３に移る。
【０１１２】
ステップＳＰ４３においてクライアント端末２は、プリセット情報として記録している放送内容情報提供サーバＰＳ（ＰＳ１〜ＰＳｎ）のアドレスのそれぞれに対してナウオンエア情報を要求する。
【０１１３】
クライアント端末２からナウオンエア情報を要求された各放送内容情報提供サーバＰＳ（ＰＳ１〜ＰＳｎ）は、ステップＳＰ４４において、それぞれが放送内容情報データベース１４の放送中番組テーブルＴＢ１からナウオンエア情報を抽出し、これをクライアント端末２に送信する。
【０１１４】
クライアント端末２は、各放送内容情報提供サーバＰＳ（ＰＳ１〜ＰＳｎ）からそれぞれ送信されたナウオンエア情報を受信すると、ステップＳＰ４５において、この受信したナウオンエア情報と、前回各放送内容情報提供サーバＰＳ（ＰＳ１〜ＰＳｎ）から受信したナウオンエア情報とを比較し、異なっているか否かを判断する。
【０１１５】
すなわちクライアント端末２は、放送内容情報提供サーバＰＳ（ＰＳ１〜ＰＳｎ）毎に今回受信したナウオンエア情報と前回受信したナウオンエア情報とを比較するようになされており、例えば放送内容情報提供サーバＰＳ１から今回受信したナウオンエア情報と、当該放送内容情報提供サーバＰＳ１から前回受信したナウオンエア情報とを比較する。
【０１１６】
ここで否定結果を得ると、このことは例えば放送内容情報提供サーバＰＳ１に対応するラジオ局ＲＳ１において、現時点と前回（３０秒前）とで放送されている楽曲が切り替わっていないことにより、前回及び今回のナウオンエア情報が同一であることを表しており、このときクライアント端末２は、ステップＳＰ４７に移る。
【０１１７】
これに対してこのステップＳＰ４５において肯定結果を得ると、このことは例えば放送内容情報提供サーバＰＳ１に対応するラジオ局ＲＳ１において、現時点と前回（３０秒前）とで楽曲が切り替わったことにより、前回のナウオンエア情報と今回のナウオンエア情報とが異なっていることを表しており、このときクライアント端末２は、ステップＳＰ４６に移る。
【０１１８】
ステップＳＰ４６においてクライアント端末２は、今回取得したナウオンエア情報にこのときの時刻を対応付けて、ハードディスクドライブ３１にあらかじめ構築してあるナウオンエア情報データベースに追加し、次のステップＳＰ４７に移る。
【０１１９】
このようにクライアント端末２においては、各放送内容情報提供サーバＰＳ（ＰＳ１〜ＰＳｎ）から受信したナウオンエア情報を、それぞれ前回各放送内容情報提供サーバＰＳ（ＰＳ１〜ＰＳｎ）から受信したナウオンエア情報と比較し、異なっていた場合（すなわち楽曲が切り替わった場合）にのみナウオンエア情報データベースに追加して蓄積するようになされている。
【０１２０】
すなわちナウオンエア情報データベースには、各ラジオ局ＲＳ（ＲＳ１〜ＲＳｎ）で放送されたラジオ番組及び楽曲に関するナウオンエア情報が蓄積されることになり、この結果、このナウオンエア情報データベースには、上述のオンエア情報データベースとほぼ等しい情報が蓄積される。
【０１２１】
従ってこのナウオンエア情報データベースに蓄積されたナウオンエア情報は、どのラジオ番組でどの楽曲が放送されたのかを示すリストとなる。
【０１２２】
ステップＳＰ４７においてクライアント端末２は、ステップＳＰ４３でナウオンエア情報を最初に要求してから検出期間（例えば「１週間」）経過したか否かを判断する。
【０１２３】
ここで否定結果を得ると、クライアント端末２は、ポーリング間隔「３０秒」経過後ステップＳＰ４３に戻り、再び各放送内容情報提供サーバＰＳ（ＰＳ１〜ＰＳｎ）にナウオンエア情報を要求する。
【０１２４】
このようにクライアント端末２は、このステップＳＰ４７で肯定結果が得られるまで、すなわち取得期間「１週間」経過するまでポーリング間隔「３０秒」毎にナウオンエア情報を要求して受信し、当該ナウオンエア情報が前回受信したナウオンエア情報と異なる場合にのみナウオンエア情報データベースに蓄積する。
【０１２５】
そしてこのステップＳＰ４７で肯定結果を得ると、クライアント端末２は、ナウオンエア情報の受信を止め、ステップＳＰ４８に移る。
【０１２６】
ステップＳＰ４８においてクライアント端末２は、検出条件情報として記録したラジオ番組のタイトルに該当するナウオンエア情報をナウオンエア情報データベースから検索し、次のステップＳＰ４９に移る。
【０１２７】
ステップＳＰ４９においてクライアント端末２は、ステップＳＰ４８で検索結果として得られたナウオンエア情報を楽曲タイトル毎にまとめて、そのまとめた数（放送回数）を当該楽曲タイトル毎に集計する。
【０１２８】
そしてクライアント端末２は、得られたナウオンエア情報をもとに楽曲タイトル、当該楽曲のアーティスト名、当該楽曲の放送回数をそれぞれ対応付けた放送頻度情報を生成し、次のステップＳＰ５０に移る。
【０１２９】
ステップＳＰ５０においてクライアント端末２は、操作入力部２０を介して放送頻度の呈示が要求されると、第１及び第２の放送頻度呈示処理の場合と同様に、放送頻度呈示画面５０（図１１）をディスプレイ２６から出力する。
【０１３０】
このようにクライアント端末２は、この第３の放送頻度呈示処理において、放送内容情報提供サーバＰＳ（ＰＳ１〜ＰＳｎ）からナウオンエア情報を受信し、当該ナウオンエア情報をもとに各楽曲の放送回数を検出して放送頻度情報を生成し、これをディスプレイ２６から出力することにより、どの楽曲が放送頻度の高いものであるのかをユーザに認識させることができる。
【０１３１】
（５）本実施の形態における動作及び効果
以上の構成においてクライアント端末２は、楽曲の放送頻度を検出するときの検出条件として検出期間及びラジオ番組のタイトルをユーザに指定させ、これらを登録する。
【０１３２】
そしてクライアント端末２は、プリセット情報としてアドレスを登録している放送内容情報提供サーバＰＳ（ＰＳ１〜ＰＳｎ）から検出期間分のオンエア情報を受信し、これをオンエア情報データベースに蓄積する。
【０１３３】
クライアント端末２は、指定されたラジオ番組のタイトルに該当するオンエア情報をこのオンエア情報データベースから検索して、これを楽曲タイトル毎にまとめて各楽曲タイトルの放送回数を集計し、当該放送回数に基づく放送頻度情報を生成して表示する。
【０１３４】
これによりクライアント端末２は、ユーザに対してどの楽曲が放送頻度の高いものであるのかを認識させることができる。
【０１３５】
またこのクライアント端末２においては、プリセット情報としてアドレスを登録している放送内容情報提供サーバＰＳ（ＰＳ１〜ＰＳｎ）に対して検出条件を示す検出条件情報を送信し、これをもとに各放送内容情報提供サーバＰＳ（ＰＳ１〜ＰＳｎ）で生成された放送頻度情報を受信するようにもなされている。
【０１３６】
この場合、各放送内容情報提供サーバＰＳ（ＰＳ１〜ＰＳｎ）は、クライアント端末２から送信された検出条件情報に基づき、検出期間に放送された指定ラジオ番組のタイトルに該当するオンエア情報を放送内容情報データベース１４から検索し、この検索結果をもとに放送頻度情報を生成してクライアント端末２に送信するようになされている。
【０１３７】
これによりクライアント端末２側での処理を軽減することができ、またクライアント端末２のユーザがどのようなラジオ番組を好んでいるのかを各放送内容情報提供サーバＰＳ（ＰＳ１〜ＰＳｎ）で認識することができる。
【０１３８】
さらにこのクライアント端末２においては、放送済のラジオ放送に関するオンエア情報の代わりに放送中のラジオ放送に関するナウオンエア情報を各放送内容情報提供サーバＰＳ（ＰＳ１〜ＰＳｎ）から受信して蓄積し、この蓄積したナウオンエア情報をもとに放送頻度情報を生成するようにもなされている。
【０１３９】
以上の構成によれば、このクライアント端末２は、放送内容情報であるオンエア情報やナウオンエア情報をもとにラジオ放送における楽曲の放送頻度を検出することにより、ラジオ放送を受信して出力しなくとも各楽曲の放送頻度をディスプレイ２６に表示してどの楽曲が放送頻度の高いものであるのかをユーザに認識させることができ、かくしてユーザがラジオ放送で流れた楽曲を聴取していなくても楽曲の放送頻度を当該ユーザに呈示することができる。
【０１４０】
さらにこのクライアント端末２は、放送回数が多い上位１０楽曲のランキングをディスプレイ２６に表示してユーザに呈示するようにしたことにより、どの楽曲が放送頻度の高い楽曲であるのかを当該ユーザに容易に認識させることができる。
【０１４１】
（６）他の実施の形態
なお上述の実施の形態においては、ラジオ放送で流される放送コンテンツとしての楽曲を放送頻度の検出対象とした場合について述べたが、本発明はこれに限らず、テレビジョン放送やインターネット放送で流される映像等、この他種々の放送コンテンツを放送頻度の検出対象としてもよい。
【０１４２】
また上述の実施の形態においては、各ラジオ局ＲＳ（ＲＳ１〜ＲＳｎ）にそれぞれ対応する放送内容情報提供サーバＰＳ（ＰＳ１〜ＰＳｎ）が接続され、各放送内容情報提供サーバＰＳ（ＰＳ１〜ＰＳｎ）がそれぞれ対応するラジオ局ＲＳ（ＲＳ１〜ＲＳｎ）で放送されるラジオ放送の放送内容情報を記録管理するようにした場合について述べたが、本発明はこれに限らず、例えば全てのラジオ局ＲＳ（ＲＳ１〜ＲＳｎ）に接続された１つの放送内容情報提供サーバで全てのラジオ局ＲＳ（ＲＳ１〜ＲＳｎ）で放送されるラジオ放送の放送内容情報を一括に記録管理するようにしてもよい。
【０１４３】
さらに上述の実施の形態においては、オンエア情報のもとになる放送済楽曲テーブルＴＢ２及び放送済番組テーブルＴＢ３には、過去に放送されたラジオ番組及び当該ラジオ番組内で放送された楽曲に関する放送内容情報が蓄積されるようにした場合について述べたが、本発明はこれに限らず、例えば放送予定のラジオ番組及び当該ラジオ番組内で放送予定の楽曲に関する放送内容情報を予め数週間分蓄積しておくようにしてもよい。
【０１４４】
これにより例えば検出条件として放送予定のラジオ番組を指定させることができ、また各楽曲の放送予定回数を検出することもできる。
【０１４５】
さらに上述の実施の形態においては、各放送内容情報提供サーバＰＳ（ＰＳ１〜ＰＳｎ）が蓄積又は記録している放送内容情報としてのオンエア情報やナウオンエア情報をもとにラジオ放送における楽曲の放送頻度を検出するようにした場合について述べたが、本発明はこれに限らず、楽曲の放送頻度を特定し得る情報を含んだ放送内容情報であれば、この他種々の放送内容情報から放送頻度を検出するようにしてもよい。
【０１４６】
さらに上述の実施の形態においては、検出期間を例えば「１日」、「１週間」、「１ヶ月間」から選択させ、その検出期間における楽曲の放送頻度を検出て呈示するようにした場合について述べたが、本発明はこれに限らず、例えば１日毎、１週間毎及び１ヶ月毎にそれぞれ自動的に楽曲の放送頻度を検出してこれを蓄積しておき、ユーザからの要求に応じて、所定期間の放送頻度を適宜呈示するようにしてもよい。
【０１４７】
これにより例えば１週間毎に蓄積した放送頻度の履歴をユーザに参照させることができ、楽曲の放送頻度の傾向を認識させることもできる。
【０１４８】
さらに上述の実施の形態においては、オンエア情報やナウオンエア情報の取得期間（すなわち楽曲の放送期間）、ラジオ番組のタイトル、プリセット情報に登録した放送内容情報提供サーバＰＳ（ＰＳ１〜ＰＳｎ）のアドレス（又は放送局名）を楽曲に対する検索条件としての検出条件とした場合について述べたが、本発明はこれに限らず、オンエア情報及びナウオンエア情報に含まれる種々の情報を検索条件としてもよい。
【０１４９】
この場合、例えば検索条件としてユーザに所望のジャンルを指定させ、この指定されたジャンルの楽曲における放送頻度を呈示することにより、ユーザの好みに合ったジャンルの楽曲の中で、どの楽曲が放送頻度の高い楽曲であるのかを当該ユーザに認識させることもできる。
【０１５０】
さらに上述の実施の形態においては、放送頻度検出装置、外部装置及び情報処理装置としてのクライアント端末２を、検索条件設定手段としての操作入力部２０及び入力処理部２１や、通信手段としての通信処理部３４及びネットワークインタフェース３５や、検出手段としてのＣＰＵ２３によって構成するようにした場合について述べたが、本発明はこれに限らず、この他種々の構成でこのクライアント端末２を構成するようにしてもよい。
【０１５１】
さらに上述の実施の形態においては、放送頻度検出装置、記憶装置及び情報処理装置としての放送内容情報提供サーバＰＳ（ＰＳ１〜ＰＳｎ）を、記憶媒体としての放送内容情報データベース１４や、受信手段及び送信手段としての通信処理部１６及びネットワークインタフェース１７や、検索手段及び検出手段としての制御部１０によって構成するようにした場合について述べたが、本発明はこれに限らず、この他種々の構成でこの放送内容情報提供サーバＰＳ（ＰＳ１〜ＰＳｎ）を構成するようにしてもよい。
【０１５２】
さらに上述の実施の形態においては、クライアント端末２が受信可能な放送としてラジオ局から放送されるラジオ放送を適用したが、本発明はこれに限らず、クライアント端末２がインターネットラジオ放送や衛星ラジオ放送を受信して、その放送内容情報を取得するようにしたり、或いはテレビジョン放送局から放送されるテレビジョン放送を受信し、そのテレビジョン放送のテレビジョン番組に関する各種放送内容情報等をネットワーク上のサーバから取得するようにしてもよい。
【０１５３】
さらに上述の実施の形態においては、放送内容情報提供サーバＰＳ（ＰＳ１〜ＰＳｎ）の制御部１０や、クライアント端末２のＣＰＵ２３が、ＲＯＭ１１や、ＲＯＭ２４に予め格納されているプログラムに基づいて、上述の放送頻度呈示処理を実行するようにした場合について述べたが、本発明はこれに限らず、例えば、この放送頻度呈示処理専用のモジュールを、放送内容情報提供サーバＰＳ（ＰＳ１〜ＰＳｎ）や、クライアント端末２に実装し、制御部１０やＣＰＵ２３の代わりにこのモジュールが、放送頻度呈示処理を実行するようにしてもよい。
【０１５４】
さらに上述の実施の形態においては、ラジオ放送の受信装置であるクライアント端末２に本発明を適用した場合について述べたが、本発明はこれに限らず、例えば携帯電話機やパーソナルコンピュータ等、クライアント端末２以外の種々の端末に適用するようにしてもよい。
【０１５５】
またこの場合、例えば、上述の放送頻度呈示処理専用のモジュールを、これら種々の端末に実装すれば、容易にクライアント端末２と同様の処理を実現することができる。
【産業上の利用可能性】
【０１５６】
本発明は、放送コンテンツを受信する受信装置等に広く利用できる。
【図面の簡単な説明】
【０１５７】
【図１】本実施の形態による放送内容情報提供システムの構成を示す略線図である。
【図２】放送内容情報提供サーバの構成を示すブロック図である。
【図３】放送内容情報データベースの構成を示す略線図である。
【図４】放送中番組テーブルにおける放送内容情報の更新を示す略線図である。
【図５】放送済楽曲テーブルにおける放送内容情報の追加を示す略線図である。
【図６】放送済番組テーブルにおける放送内容情報の追加を示す略線図である。
【図７】オンエア情報の内容を示す略線図である。
【図８】クライアント端末の回路構成を示すブロック図である。
【図９】第１の放送頻度呈示処理を示すフローチャートである。
【図１０】番組表画面を示す略線図である。
【図１１】放送頻度呈示画面を示す略線図である。
【図１２】第２の放送頻度呈示処理を示すフローチャートである。
【図１３】第３の放送頻度呈示処理を示すフローチャートである。
【符号の説明】
【０１５８】
１……放送内容情報提供システム、２……クライアント端末、１０……制御部、１１、２４……ＲＯＭ、１３、２５……ＲＡＭ、１４……放送内容情報データベース、１６、３４……通信処理部、１７、３５……ネットワークインタフェース、２０……操作入力部、２１……入力処理部、２３……ＣＰＵ、２６……ディスプレイ、３１……ハードディスクドライブ、ＰＳ（ＰＳ１〜ＰＳｎ）……放送内容情報提供サーバ。
【図１】
0004092708.tif 000002
【図２】
0004092708.tif 000003
【図３】
0004092708.tif 000004
【図４】
0004092708.tif 000005
【図５】
0004092708.tif 000006
【図６】
0004092708.tif 000007
【図７】
0004092708.tif 000008
【図８】
0004092708.tif 000009
【図９】
0004092708.tif 000010
【図１０】
0004092708.tif 000011
【図１１】
0004092708.tif 000012
【図１２】
0004092708.tif 000013
【図１３】
0004092708.tif 000014